(57)【特許請求の範囲】
【請求項１】
ハンドオーバ開始のためにユーザ機器（ＵＥ）により実行される方法であって、
マクロセルまたはピコセルのいずれかを含むサービングセルのタイプおよびマクロセルまたはピコセルのいずれかを含むターゲットセルのタイプのうち１つまたは複数および前記ＵＥの速度に基づいてＡ３ｏｆｆｓｅｔとトリガ時間（ＴＴＴ）のペアを選択し、前記Ａ３ｏｆｆｓｅｔとＴＴＴのペアは、Ａ３ｏｆｆｓｅｔ値およびＴＴＴを含む段階と、
サービングセルの基準信号受信品質（ＲＳＲＱ）およびターゲットセルのＲＳＲＱを判断する段階と、
前記ターゲットセルの前記ＲＳＲＱが前記ＴＴＴに対する少なくともＡ３ｏｆｆｓｅｔ値だけ前記サービングセルの前記ＲＳＲＱを超える場合に、前記ターゲットセルへのハンドオーバのために前記サービングセルの拡張型ノードＢ（ｅＮＢ）に測定レポートを送信する段階とを備える方法。
【請求項２】
前記サービングセルの前記ＲＳＲＱおよび前記ターゲットセルの前記ＲＳＲＱは、基準信号を含むリソースブロック（ＲＢ）の受信信号強度インジケータ（ＲＳＳＩ）に対する基準信号受信電力（ＲＳＲＰ）の比率から判断される、請求項１に記載の方法。
【請求項３】
前記サービングセルの前記ＲＳＲＱおよび前記ターゲットセルの前記ＲＳＲＱは、Ｅ‐ＵＴＲＡＮ  ＬＴＥのための３ＧＰＰ規格に準拠して判断され、
前記サービングセルの前記ＲＳＲＱおよび前記ターゲットセルの前記ＲＳＲＱは、ハンドオーバ開始のためのイベントＡ３に対する入力条件および終了条件を決定する、請求項２に記載の方法。
【請求項４】
前記ＲＳＲＰは、予め定められた物理リソースブロック（ＰＲＢ）においてｅＮＢにより送信されるチャネル状態情報基準信号（ＣＩＳ‐ＲＳ）および共通基準信号（ＣＲＳ）のうち１または複数から判断される、請求項３に記載の方法。
【請求項５】
より大きいＵＥの速度に対して、より小さいＡ３ｏｆｆｓｅｔ値およびより短いＴＴＴを選択し、
より小さいＵＥの速度に対して、より大きいＡ３ｏｆｆｓｅｔ値およびより長いＴＴＴを選択する、請求項４に記載の方法。
【請求項６】
前記ＵＥの前記速度は、前記ＵＥのモビリティ状態に基づき、予め定められた期間中のセルの再選択の回数から判断される、請求項４または５に記載の方法。
【請求項７】
前記ＵＥの前記速度は、ターゲットｅＮＢおよびサービングｅＮＢを含む１または複数のｅＮＢから送信された信号から判断される位置または所在地の推定における変化から判断される、請求項４から６のいずれか１項に記載の方法。
【請求項８】
前記ＵＥの前記速度は、補助衛星測位技術を使用して判断される、請求項４から７のいずれか１項に記載の方法。
【請求項９】
予め定められた低い値未満の速度に対して、前記ＵＥは、複数のＡ３ｏｆｆｓｅｔとＴＴＴのペアから第１のＡ３ｏｆｆｓｅｔとＴＴＴのペアを選択し、
前記予め定められた低い値より大きいか等しい速度、および予め定められた高い値より小さいか等しい速度に対して、前記ＵＥは、前記複数のＡ３ｏｆｆｓｅｔとＴＴＴのペアから第２のＡ３ｏｆｆｓｅｔとＴＴＴのペアを選択し、
前記予め定められた高い値より大きい速度に対して、前記ＵＥは、前記複数のＡ３ｏｆｆｓｅｔとＴＴＴのペアから第３のＡ３ｏｆｆｓｅｔとＴＴＴのペアを選択する、請求項４から８のいずれか１項に記載の方法。
【請求項１０】
前記ＵＥは、前記サービングセルのｅＮＢおよび前記ターゲットセルのｅＮＢにより送信された１または複数のセルまたはｅＮＢ識別情報に基づいて、前記サービングセルのタイプおよび前記ターゲットセルのタイプのうち少なくとも１つを判断し、
前記ｅＮＢ識別情報は、マクロセルまたはピコセルを示す、請求項１から９のいずれか１つに記載の方法。
【請求項１１】
前記ＵＥは、前記サービングセルの前記ｅＮＢおよび前記ターゲットセルの前記ｅＮＢのうち少なくとも１つにより送信された基準信号の測定信号強度に基づいて、前記サービングセルのタイプおよび前記ターゲットセルのタイプのうち少なくとも１つを判断する、請求項１から１０のいずれか１つに記載の方法。
【請求項１２】
ピコサービングセルからマクロターゲットセルへのハンドオーバのために、より小さいＡ３ｏｆｆｓｅｔ値およびより小さいＴＴＴを選択し、
マクロサービングセルからピコターゲットセルへのハンドオーバのために、より大きいＡ３ｏｆｆｓｅｔ値およびより小さいＴＴＴを選択する、請求項１から１１のいずれか１項に記載の方法。
【請求項１３】
ユーザ機器（ＵＥ）であって、
マクロセルまたはピコセルのいずれかを含むサービングセルのタイプおよびマクロセルまたはピコセルのいずれかを含むターゲットセルのタイプのうち１つまたは複数および前記ＵＥの速度に基づいて、Ａ３ｏｆｆｓｅｔとＴＴＴのペアを選択し、基準信号を含むリソースブロック（ＲＢ）の受信信号強度インジケータ（ＲＳＳＩ）に対する基準信号受信電力（ＲＳＲＰ）の比率から、サービングセルの基準信号受信品質（ＲＳＲＱ）およびターゲットセルのＲＳＲＱを判断する処理回路と、
前記ターゲットセルのＲＳＲＱがトリガ時間（ＴＴＴ）に対する少なくともＡ３ｏｆｆｓｅｔ値だけ前記サービングセルのＲＳＲＱを超える場合に、前記サービングセルから前記ターゲットセルへのハンドオーバのために、測定レポートをサービングｅＮＢに送信する物理層回路とを備えるＵＥ。
【請求項１４】
前記ＲＳＲＰは、予め定められた物理リソースブロック（ＰＲＢ）においてｅＮＢにより送信されるチャネル状態情報基準信号（ＣＩＳ‐ＲＳ）および共通基準信号（ＣＲＳ）のうち１つまたは複数から判断される、請求項１３に記載のＵＥ。
【請求項１５】
より大きなＵＥの速度に対して、より小さいＡ３ｏｆｆｓｅｔ値およびより短いＴＴＴを選択し、
より小さいＵＥ速度に対して、より大きいＡ３ｏｆｆｓｅｔ値およびより長いＴＴＴを選択する、請求項１３または１４に記載のＵＥ。
【請求項１６】
前記ＵＥの前記速度は、前記ＵＥのモビリティ状態に基づき、予め定められた期間中のセルの再選択の回数から判断される、請求項１３から１５のいずれか１項に記載のＵＥ。
【請求項１７】
前記ＵＥの前記速度は、ターゲットｅＮＢおよび前記サービングｅＮＢを含む１または複数のｅＮＢから送信された信号から判断される位置または所在地の推定における変化から判断される、請求項１３から１６のいずれか１項に記載のＵＥ。
【請求項１８】
前記ＵＥの前記速度は、補助衛星測位技術を使用して判断される、請求項１３から１７のいずれか１項に記載のＵＥ。
【請求項１９】
ハンドオーバ開始のためのオペレーションをコンピュータに実行させるプログラムであって、
マクロセルまたはピコセルのいずれかを含むサービングセルのタイプおよびマクロセルまたはピコセルのいずれかを含むターゲットセルのタイプのうち１つまたは複数およびユーザ機器（ＵＥ）の速度に基づいてＡ３ｏｆｆｓｅｔとＴＴＴのペアを選択し、前記Ａ３ｏｆｆｓｅｔとＴＴＴのペアは、Ａ３ｏｆｆｓｅｔ値およびトリガ時間（ＴＴＴ）を含む手順と、
サービングセルの基準信号受信品質（ＲＳＲＱ）およびターゲットセルのＲＳＲＱを判断する手順と、
前記ターゲットセルの前記ＲＳＲＱが前記ＴＴＴに対する少なくとも前記Ａ３ｏｆｆｓｅｔ値だけ前記サービングセルのＲＳＲＱを超える場合に、前記ターゲットセルへのハンドオーバのために、前記サービングセルの拡張型ノードＢ（ｅＮＢ）に測定レポートを送信させる手順とを含むプログラム。
【請求項２０】
前記サービングセルの前記ＲＳＲＱおよび前記ターゲットセルの前記ＲＳＲＱは、基準信号を含むリソースブロック（ＲＢ）の受信信号強度インジケータ（ＲＳＳＩ）に対する基準信号受信電力（ＲＳＲＰ）の比率から判断され、
前記サービングセルの前記ＲＳＲＱおよび前記ターゲットセルの前記ＲＳＲＱは、ハンドオーバ開始のためにイベントＡ３に対する入力条件および終了条件を決定し、
前記ＲＳＲＰは、予め定められた物理リソースブロック（ＰＲＢ）においてｅＮＢにより送信されるチャネル状態情報基準信号（ＣＩＳ‐ＲＳ）および共通基準信号（ＣＲＳ）のうち１つまたは複数から判断される、請求項１９に記載のプログラム。
【請求項２１】
請求項１９または２０に記載のプログラムを格納するコンピュータ可読記憶媒体。
【発明の詳細な説明】
【技術分野】
【０００１】
［優先権の主張］  本出願は、２０１２年５月１１日出願の米国特許仮出願第６１／６４６，２２３号に対する優先権の利益を主張する２０１２年９月２８日出願の米国特許出願第１３／６３１，２１３号に対する優先権の利益を主張し、これら双方は、全体が参照により本明細書に組み込まれる。
【０００２】
実施形態は、無線セルラー通信に関する。いくつかの実施形態は、異種ネットワーク（ＨｅｔＮｅｔ）モビリティに関する。いくつかの実施形態は、異なるセル層間のハンドオーバを含む、セルの間でのハンドオーバに関する。
【０００３】
セルラー通信ネットワークに関する１つの問題は、セル間で（すなわち、サービングセルからターゲットセルに）モバイルデバイスをいつハンドオーバすべきかを判断することである。問題の１つは、無線リンクが切れる前にハンドオーバを行うことである。これは、小さいセルがより大きなセルによりオーバーレイされる異種ネットワーク（ＨｅｔＮｅｔ）において特に問題である。より高いモビリティのデバイスは、これらのハンドオーバ問題をますます困難にしている。
【０００４】
従って、無線リンク切断率を低減する改善されたハンドオーバ技術に対して一般的なニーズが存在する。また、ハンドオーバの効率性を高め、より少ないオーバーヘッドで動作する改善されたハンドオーバ技術に対して一般的なニーズが存在する。特に、高速移動デバイスおよびより高いモビリティのモバイルデバイスの無線リンク切断率を低減する、改善されたハンドオーバ技術に対する一般的ニーズも存在する。ＨｅｔＮｅｔのモビリティに好適な改善されたハンドオーバ技術に対する一般的ニーズも存在する。
【図面の簡単な説明】
【０００５】
【図１】いくつかの実施形態によるセルラー通信を例示する。
【０００６】
【図２】いくつかの実施形態によるハンドオーバ開始基準の一例を図示する。
【０００７】
【図３】いくつかの実施形態による基準信号所在地を例示する。
【０００８】
【図４】いくつかの実施形態によるユーザ機器（ＵＥ）のブロック図である。
【０００９】
【図５】いくつかの実施形態によるハンドオーバパラメータ選択において使用するのに好適なテーブルである。
【００１０】
【図６】いくつかの実施形態によるＵＥハンドオーバのための手順のフローチャートである。
【発明を実施するための形態】
【００１１】
以下の説明および図面は、当業者が実施することを可能にするように、具体的な実施形態を十分に例示する。他の実施形態は、構造的、論理的、電気的処理、ならびに他の変化を組み込み得る。いくつかの実施形態の部分および特徴は、他の実施形態のものに含まれ、またはこれと代替し得る。特許請求の範囲に記載される実施形態は、その特許請求の範囲の利用可能な均等物を包含する。
【００１２】
図１は、いくつかの実施形態によるセルラー通信を例示する。拡張または進化型ノードＢ（ｅＮＢ）１０４等の基地局は、セル１０１内のユーザ機器（ＵＥ）１０２等の通信デバイスに無線通信サービスを提供する。ｅＮＢ１０６等の基地局は、セル１０３内の通信デバイスに無線通信サービスを提供する。ｅＮＢ１０８等の基地局は、セル１０５内の通信デバイスに無線通信サービスを提供する。この例において、ｅＮＢ１０４は、サービングｅＮＢであり得る。ハンドオーバは、ｅＮＢ１０４からｅＮＢ１０６またはｅＮＢ１０８等の別のｅＮＢへと実行され、あるハンドオーバ基準が満たされる場合にＵＥ１０２との通信をハンドオーバすることができる。
【００１３】
いくつかの実施形態によれば、ＵＥ１０２は、ＵＥ１０２の速度に少なくとも部分的に基づいてハンドオーバ開始パラメータを適合的に選択するように構成され得る。これらの実施形態において、ＵＥ１０２は、サービングセル（すなわちセル１０１）の基準信号受信品質（ＲＳＲＱ）およびターゲットセル（すなわちセル１０３）のＲＳＲＱを判断し得る。ＵＥ１０２は、ターゲットセルＲＳＲＱが選択されたハンドオーバ開始パラメータに従ってサービングセルＲＳＲＱを超えた場合、サービングセル１０１からターゲットセル１０３へのハンドオーバのために、サービングｅＮＢ１０４に測定レポートを送信する。これらの実施形態のいくつかにおいて、ハンドオーバ開始パラメータは、ＡＳｏｆｆｓｅｔ値およびトリガ時間（ＴＴＴ）等のオフセット値を含み得る。Ａ３ｏｆｆｓｅｔ値およびＴＴＴは、Ａ３ｏｆｆｓｅｔとＴＴＴのペアを含み得る。
【００１４】
これらの実施形態において、ＵＥ１０２の速度を使用してＡ３ｏｆｆｓｅｔとＴＴＴのペアなどのハンドオーバ開始パラメータを選択し、ハンドオーバ開始をトリガするターゲットセル１０３およびサービングセル１０１（例えば、基準信号受信電力（ＲＳＲＰ）ではなく）のＲＳＲＱを使用すると、ハンドオーバ失敗率を低減するのに役立ち得る。これらの実施形態を以下により詳細に説明する。
【００１５】
いくつかの実施形態において、ＵＥ１０２のモビリティ状態に基づいて、ＵＥ１０２の速度またはスピードではなく、ハンドオーバ開始パラメータを選択し得る。これらの実施形態も以下により詳細に説明する。
【００１６】
いくつかの実施形態において、サービングセルのタイプおよびターゲットセルのタイプに基づいて、ハンドオーバ開始パラメータを選択することができる。サービングセルのタイプは、マクロセルまたはピコセルのいずれかを含み得、ターゲットセルのタイプは、マクロセルまたはピコセルのいずれかを含み得る。図１に例示する例において、セル１０１および１０３は、マクロセルであり得、ｅＮＢ１０４および１０６は、マクロｅＮＢであり得る。セル１０５は、ピコセルであり得、ｅＮＢ１０８は、ピコｅＮＢであり得る。これらの実施形態も以下により詳細に説明する。
【００１７】
いくつかの実施形態において、ハンドオーバのタイプに基づいて、ハンドオーバ開始パラメータを選択し得る。ハンドオーバのタイプは、マクロセルからマクロセルへのハンドオーバ、ピコセルからマクロセルへのハンドオーバ、マクロセルからピコセルへのハンドオーバ、またはピコセルからピコセルへのハンドオーバのうちの１つを含み得る。これらの実施形態も以下により詳細に説明する。
【００１８】
いくつかの代替的実施形態において、ターゲットセル１０３のＲＳＲＱおよびサービングセル１０１のＲＳＲＱに基づいてハンドオーバ開始パラメータを選択し得る。  これらの代替的実施形態において、ＵＥ１０２は、ターゲットセルＲＳＲＱに基づいてＡ３ｏｆｆｓｅｔ値を選択してもよく、サービングセルＲＳＲＱに基づいてＴＴＴを選択してもよい。これらの代替的実施形態において、ハンドオーバ開始パラメータ（例えば、Ａ３ｏｆｆｓｅｔとＴＴＴのペア）は、ＵＥの速度および／またはハンドオーバのタイプではなく、サービングセル１０１のＲＳＲＱおよびターゲットセル１０３のＲＳＲＱに基づいて選択してもよい。これらの実施形態も以下により詳細に説明される。
【００１９】
図２は、いくつかの実施形態によるハンドオーバ開始基準の一例を図示する。サービングセル１０１（図１）は、サービングセルＲＳＲＱ２０１を有してもよく、ターゲットセル１０３（図１）等のターゲットセルは、ターゲットセルＲＳＲＱ２０３を有してもよい。この例示的図示において、サービングセルＲＳＲＱ２０１およびターゲットセルＲＳＲＱ２０３は、例示するように変化し得、ＵＥ１０２（図１）等の移動局がターゲットセル１０３に対してサービングセル１０１内で移動するときに、そうであることがある。図２に例示するように、ターゲットセルＲＳＲＱ２０３が連続的にＴＴＴ２０７の間、少なくともＡ３ｏｆｆｓｅｔ値２０５（すなわちイベントＡ３またはＡ３ｅｖｅｎｔ）だけサービングセルＲＳＲＱ２０１を超える場合、ＵＥ１０２は、測定レポート２０９をサービングセル１０１のｅＮＢ１０４に送信することができる。次に、サービングセル１０１のｅＮＢ１０４は、ハンドオーバを決定し、ハンドオーバ要求をターゲットセル１０３のｅＮＢ１０６に送信することができる。
【００２０】
本明細書において使用するＡ３ｅｖｅｎｔ（またはイベントＡ３）は、隣接セルのＲＳＲＱ（例えばターゲットセルＲＳＲＱ２０３）が一次セル（ＰＣｅｌｌ）のＲＳＲＱ（例えばサービングセルＲＳＲＱ２０１）よりも良好なオフセット量（すなわちＡＳｏｆｆｓｅｔ値２０５）になる場合に生じる測定‐報告イベントであってもよい。いくつかの実施形態において、Ａ３ｅｖｅｎｔは、３ＧＰＰ  Ｔ．Ｓ．３６．３３１（第３世代移動体通信システム標準化プロジェクト；技術仕様グループ無線アクセスネットワーク；進化型世界地上無線アクセス（Ｅ‐ＵＴＲＡ）；無線リソース制御（ＲＲＣ）；プロトコル仕様（改訂１１））に従う「イベントＡ３」を指すことがあるが、これは要件ではない。これらの実施形態において、イベントＡ３は、Ａ３ｏｆｆｓｅｔ２０５およびＴＴＴ２０７の要件が満たされると、測定レポート２０９をトリガする。
【００２１】
いくつかの実施形態において、Ａ３ｏｆｆｓｅｔ値およびＴＴＴのセットは、無線リソース制御（ＲＲＣ）の接続確立時に（例えば初期的な接続確立）、ｅＮＢ１０４によって１または複数の閾値と共にＵＥ１０２に送信され得る。ＵＥ１０２がＡ３ｅｖｅｎｔを入力する（すなわち、Ａ３ｏｆｆｓｅｔ状態が持続する）場合、ＵＥ１０２は、選択されたＡ３ｏｆｆｓｅｔ値とＴＴＴのペアをＴＴＴ時間までロックし得る。Ａ３ｅｖｅｎｔの終了後、ＵＥ１０２は、ＵＥ１０２がＡ３ｅｖｅｎｔを終了したときに選択されたＡ３ｏｆｆｓｅｔ値とＴＴＴのペアをロック解除してもよい。  これらの実施形態において、Ａ３ｅｖｅｎｔ以外の場合、ＵＥ１０２は、速度またはモビリティ状態に基づいてＡ３ｏｆｆｓｅｔ値とＴＴＴのペアを動的に選択し得る。
【００２２】
いくつかの実施形態において、ＵＥ１０２は、Ａ３ｏｆｆｓｅｔ値２０５およびＴＴＴ２０７を選択または再選択することを控えてもよい。ターゲットセルＲＳＲＱ２０３が、現在選択されているＡ３ｏｆｆｓｅｔ値２０５だけサービングセルＲＳＲＱ２０１を超える場合、ＵＥ１０２は、Ａ３ｅｖｅｎｔを入力し、測定レポート２０９をサービングセル１０１に送信する。Ａ３ｏｆｆｓｅｔとＴＴＴのペアのＡ３ｏｆｆｓｅｔ値２０５およびＴＴＴ２０７の選択および再選択は、Ａ３ｅｖｅｎｔの外側で定期的に実行してもよく、選択されたＡ３ｏｆｆｓｅｔ値２０５およびＴＴＴ２０７は、Ａ３ｅｖｅｎｔの間、維持される（すなわち、再選択されない）。
【００２３】
図３は、いくつかの実施形態による基準信号所在地を例示する。基準信号３０２（Ｒ０として例示する）は、リソースブロック３００内の様々な個所に示される。各リソースブロック（ＲＢ）３００は、時間におけるシンボルの数および周波数におけるサブキャリアの数を含み得る、リソース要素３０１を含み得る。いくつかの実施形態において、基準信号３０２のＲＳＲＱは、基準信号３０２を含むＲＢの受信信号強度インジケータ（ＲＳＳＩ）に対するＲＳＲＰの比率から判断し得る。ＲＳＲＰは、リソースブロック３００の全ての基準信号３０２の平均信号電力レベルに基づいて測定され得る。
【００２４】
いくつかの実施形態において、サービングセル２０１のＲＳＲＱおよびターゲットセル２０３のＲＳＲＱは、Ｅ‐ＵＴＲＡ  ＬＴＥの３ＧＰＰ規格（例えば、ＴＳ３６．２１４）に従って判断される。ハンドオーバ開始のためのイベントＡ３の入力条件および終了条件を決定するべく、サービングセル２０１のＲＳＲＱおよびターゲットセル２０３のＲＳＲＱを使用してもよい。これらの実施形態を以下により詳細に説明する。
【００２５】
いくつかの実施形態において、より大きいＵＥの速度に対しては、より小さいＡ３ｏｆｆｓｅｔ値２０５およびより短いＴＴＴ２０７を選択する。より小さいＵＥ速度に対しては、より大きなＡＳｏｆｆｓｅｔ値２０５およびより長いＴＴＴ２０７を選択する。これらの実施形態において、Ａ３ｏｆｆｓｅｔ値２０５およびＴＴＴ２０７は、ＵＥ１０２の速度またはモビリティ状態に反比例し得る。
【００２６】
いくつかの実施形態において、ＵＥ１０２の速度は、ＵＥ１０２のモビリティ状態に基づいて、所定の期間中にセルの再選択の回数から判断することができるが、他のモビリティ状態の推定技術を使用し得るため、実施形態の範囲はこの点において限定されない。これらの実施形態において、セルの再選択の回数に基づいて、ＵＥ１０２は、高いモビリティ状態、中間のモビリティ状態、または低いモビリティ状態に入り得る。これらの実施形態において、モビリティ状態（高い、中間、または低い）は、セルの再選択を計数することにより判断し得る。ＵＥ１０２は、アイドルモードでセルの再選択を計数してもよく、または接続モードでハンドオーバを計数してもよい。  いくつかの実施形態において、期間
【数１】
0006005849.tif 000002
中のセルの再選択の回数が
【数２】
0006005849.tif 000003
を超え、
【数３】
0006005849.tif 000004
を超えない場合、ＵＥ１０２は、中間のモビリティ状態にあり得る。期間
【数４】
0006005849.tif 000005
中のセルの再選択の回数が
【数５】
0006005849.tif 000006
を超える場合、ＵＥ１０２は、高いモビリティ状態にあるか、そうでなければＵＥ１０２は、低いモビリティ状態にあり得る。これらの実施形態において、異なるＡ３ｏｆｆｓｅｔとＴＴＴのペアは、ＵＥ１０２により、ＵＥ１０２の各モビリティ状態のために選択し得るが、実施形態の範囲はこの点において限定されない。いくつかの実施形態において、Ａ３ｏｆｆｓｅｔとＴＴＴのペアは、（モビリティ状態ではなく）所定の期間中のセルの再選択の回数に基づいて選択し得る。  セルの再選択の回数を使用して、速度またはモビリティ状態のいずれかを判断するいくつかの実施形態において、同一の２つのセル間での連続的な再選択は計数されない。
【００２７】
他のいくつかの実施形態において、ＵＥ１０２の速度は、ターゲットｅＮＢ１０６およびサービングｅＮＢ１０４を含む１または複数のｅＮＢから送信された信号から判断された、位置または所在地の推定における変化から判断し得る。これらの実施形態において、サービングｅＮＢ１０４を含む１または複数のｅＮＢからのＵＥの距離を発見するべく、タイミング前進を使用し得る。いくつかの実施形態において、精度を向上させるべく、隣接セル測定を使用することができる。いくつかの実施形態において、ＵＥの所在地は、観測時間差到着（ＯＴＤＯＡ）技術を使用して３つまたはそれ以上のｅＮＢの知見を用いて三点測量し得る。これらの実施形態において、ネットワークにおけるセルのタイミングおよび地理的所在地を送信することができ、少なくとも２つの他のセルとＵＥ１０２におけるサービングセルの時差を受信することができる。他のいくつかの実施形態において、ＵＥ１０２の速度は、１または複数のｅＮＢから受信された信号のドップラー周波数から判断し得る。
【００２８】
他のいくつかの実施形態において、ＵＥ１０２の速度は、補助衛星測位（例えばＡ‐ＧＰＳ）技術を使用して判断し得る。Ａ‐ＧＰＳ技術は、全地球測位システム（ＧＰＳ）信号を含む衛星からの信号を使用し得る。これらの実施形態において、ＵＥ１０２は、ＧＰＳ衛星からのＧＰＳ信号を受信し、ＵＥの速度を判断するＧＰＳ受信機を有し得るが、速度判断のための他の技術を使用することができるので、これは要件ではない。
【００２９】
いくつかの実施形態において、所定の低い値未満の速度については、ＵＥ１０２は、複数のＡ３ｏｆｆｓｅｔとＴＴＴのペアから第１のＡ３ｏｆｆｓｅｔとＴＴＴのペア（例えばｏｆｆ＿ｌｏｗ、ｔｔｔ＿ｌｏｗ）を選択することができる。所定の低い値より大きいか等しく、所定の高い値より小さいか等しい速度については、ＵＥ１０２は、複数のＡ３ｏｆｆｓｅｔとＴＴＴのペアから第２のＡ３ｏｆｆｓｅｔとＴＴＴのペア（例えばｏｆｆ＿ｍｅｄ、ｔｔｔ＿ｍｅｄ）を選択することができる。所定の高い値より大きい速度については、ＵＥ１０２は、複数のＡ３ｏｆｆｓｅｔとＴＴＴのペアから第３のＡ３ｏｆｆｓｅｔとＴＴＴのペア（例えばｏｆｆ＿ｈｉｇｈ、ｔｔｔ＿ｈｉｇｈ）を選択することができる。例示的な実施形態において、速度の所定の低い値は、約４ｋｍ／ｈであり得、所定の高い値は、約６０ｋｍ／ｈであり得るが、実施形態の範囲はこの点において限定されない。これらの例示的な実施形態において、第１のＡ３ｏｆｆｓｅｔとＴＴＴのペアは、約４ｋｍ／ｈ未満のＵＥの速度のために選択することができ、第２のＡ３ｏｆｆｓｅｔとＴＴＴのペアは、約４ｋｍ／ｈから約６０ｋｍ／ｈのＵＥの速度のために選択することができ、第３のＡ３ｏｆｆｓｅｔとＴＴＴのペアは、約６０ｋｍ／ｈより大きいＵＥの速度のために選択することができるが、実施形態の範囲は、この点において限定されない。
【００３０】
他の例示的な実施形態において、Ａ３ｏｆｆｓｅｔとＴＴＴのペアの選択に、速度値（例えばｋｍ／ｈ）ではなく、セル再選択の回数を使用してもよい。いくつかの実施形態において、速度は、セルの再選択の回数およびセルのサイズにより判断し得る。
【００３１】
図４は、いくつかの実施形態によるＵＥのブロック図である。ＵＥ４００は、ＵＥ１０２（図１）として使用するのに好適であり得るが、他の構成も好適な場合がある。ＵＥ４００は、１または複数のアンテナを介してｅＮＢと通信する物理層（ＰＨＹ）回路４０２を含み得る。ＵＥ４００は、メディアアクセス制御（ＭＡＣ）層回路４０４、ならびに処理回路４０６およびメモリ４０８も含み得る。
【００３２】
いくつかの実施形態によれば、処理回路４０６は、少なくともＵＥ４００の速度またはモビリティ状態に基づいて、複数のハンドオーバ開始パラメータからハンドオーバ開始パラメータを選択するように構成され得る。処理回路４０６は、サービングセル２０１のＲＳＲＱおよびターゲットセル２０３のＲＳＲＱを判断するように構成され得、ＰＨＹ層回路４０２は、ターゲットセルＲＳＲＱ２０３が選択されたハンドオーバ開始パラメータに従ってサービングセルＲＳＲＱ２０１を超えると、サービングセル１０１からターゲットセル１０３へのハンドオーバ開始のために、測定レポート２０９をサービングｅＮＢ１０４に送信するように構成され得る。複数のＡ３ｏｆｆｓｅｔとＴＴＴのペアは、ＵＥ４００のメモリ４０８に格納することができる。
【００３３】
いくつかの実施形態において、ＵＥ４００は、キーボード、ディスプレイ、不揮発性メモリポート、多重アンテナ、グラフィックスプロセッサ、アプリケーションプロセッサ、スピーカ、および他のモバイルデバイス要素のうち１つまたは複数を含み得る。ディスプレイは、タッチスクリーンを含むＬＣＤスクリーンを備えてもよい。ＵＥ４００により使用される１または複数のアンテナは、例えば、ダイポールアンテナ、モノポールアンテナ、パッチアンテナ、ループアンテナ、マイクロストリップアンテナ、またはＲＦ信号送信に好適な他のタイプのアンテナを含む１もしくは複数の指向性アンテナまたは全方向性アンテナを備えてもよい。いくつかの実施形態において、２つまたはそれ以上のアンテナではなく、多重開口を有する１つのアンテナを使用することができる。これらの実施形態において、各開口は、別個のアンテナとみなされ得る。いくつかの多重入力多重出力（ＭＩＭＯ）の実施形態において、アンテナは、アンテナのそれぞれおよび送信局のアンテナの間で生じ得る空間ダイバーシチおよび異なるチャネル特性を利用するべく、実質的に分離され得る。いくつかのＭＩＭＯの実施形態において、アンテナは、最大で１周波数の１／１０またはそれ以上に分離され得る。
【００３４】
ＵＥ４００はいくつかの別個の機能要素を有するものとして例示されるが、機能要素の１または複数を組み合わせてもよく、デジタル信号プロセッサ（ＤＳＰ）を含む処理要素等のソフトウェア構成した要素、および／または他のハードウェア要素の組み合わせにより実装してもよい。例えば、いくつかの要素は、１または複数のマイクロプロセッサ、ＤＳＰ、特定用途向け集積回路（ＡＳＩＣ）、無線周波数集積回路（ＲＦＪＣ）、ならびに本明細書に説明する機能を少なくとも実行する様々なハードウェアおよび論理回路の組み合わせを備え得る。いくつかの実施形態において、機能要素は、１または複数の処理要素上で動作する１または複数の処理を指すことがある。
【００３５】
いくつかの実施形態は、１つのハードウェア、ファームウェア、およびソフトウェア、またはこれらの組み合わせで実装され得る。実施形態は、本明細書に説明するオペレーションを実行するべく、少なくとも１つのプロセッサにより読み取りおよび実行をすることができる、コンピュータ可読記憶媒体上に格納された命令として実装してもよい。コンピュータ可読記憶媒体は、機械（例えばコンピュータ）により可読な形式で情報を格納する任意の非一時的機構を含んでもよい。例えば、コンピュータ可読記憶媒体としては、リードオンリメモリ（ＲＯＭ）、ランダムアクセスメモリ（ＲＡＭ）、磁気ディスク記憶媒体、光記憶媒体、フラッシュメモリデバイス、ならびに他の記憶デバイスおよび媒体が挙げられ得る。これらの実施形態において、ＵＥ４００の１または複数のプロセッサは、本明細書に説明するオペレーションを実行する命令を用いて構成され得る。
【００３６】
いくつかの実施形態において、処理回路４０６は、１または複数のプロセッサを含み得、物理層回路４０２は、無線周波数（ＲＦ）回路およびベースバンド回路を含み得る。ＲＦ回路は、受信機回路および送信機回路の双方を含み得る。受信機回路は、受信したＲＦ信号をベースバンド信号に変換することができ、ベースバンド回路は、ベースバンド信号を１または複数のビットストリームに変換することができる。送信機回路は、１または複数のビットストリームをベースバンド信号に変換し、ベースバンド信号を送信用ＲＦ信号に変換することができる。
【００３７】
いくつかの実施形態において、ＵＥ４００は、直交周波数分割多重化接続（ＯＦＤＭＡ）通信技術に準拠するマルチキャリア通信チャネルを介して直交周波数分割多重化（ＯＦＤＭ）通信信号を受信するように構成され得る。ＯＦＤＭ信号は、複数の直交サブキャリアを含み得る。いくつかのブロードバンドの実施形態において、ｅＮＢ（ｅＮＢ１０４、１０６および１０８など（図１））は、第３世代移動体通信標準化プロジェクト（３ＧＰＰ）世界地上無線接続ネットワーク（ＵＴＲＡＮ）ロングタームエボリューション（ＬＴＥ）またはロングタームエボリューション（ＬＴＥ）通信ネットワーク等のブロードバンド無線アクセス（ＢＷＡ）ネットワークの一部であり得るが、実施形態の範囲は、この点において限定されない。これらのブロードバンドの実施形態において、ＵＥ４００およびｅＮＢは、３ＧＰＰ‐ＬＴＥのＯＦＤＭＡ技術に準拠して通信するように構成され得る。ＯＦＤＭＡ技術は、異なるアップリンクおよびダウンリンクのスペクトルを使用する周波数領域多重（ＦＤＤ）技術、またはアップリンクおよびダウンリンクに対して同一のスペクトルを使用する時間領域多重（ＴＤＤ）技術のいずれかであり得る。
【００３８】
いくつかのＬＴＥの実施形態において、無線リソースの基本的な単位は、リソースブロック３００等の物理リソースブロック（ＰＲＢ）である（図３）。ＰＲＢは、周波数領域に１２のサブキャリア×時間領域で０．５ミリ秒（ｒａｓ）を含み得る。ＰＲＢは、ペア（時間領域）で割り当てられ得る。これらの実施形態において、ＰＲＢは、ＲＥ３０１（図３）等の複数のリソース要素（ＲＥ）を含み得る。ＲＥは、１つのサブキャリア×１つのシンボルを含み得るが、これは要件ではない。
【００３９】
いくつかの実施形態において、ｅＮＢは、チャネル状態情報基準信号（ＣＩＳ‐ＲＳ）および／または共通基準信号（ＣＲＳ）を送信することができる。これらの基準信号３０２は、所定のＰＲＢで送信することができ、本明細書に説明するＲＳＲＱを算出するべく使用し得るＲＳＲＰを決定することができる。他のいくつかの実施形態において、他のダウンリンク基準信号を使用することができる。
【００４０】
いくつかの実施形態において、ＵＥ４００は、携帯情報端末（ＰＤＡ）、無線通信機能を有するラップトップもしくは携帯式コンピュータ、ウェブタブレット、無線電話、無線ヘッドセット、ポケットベル（登録商標）、インスタントメッセージング装置、デジタルカメラ、アクセスポイント、テレビ、医療機器（例えば心拍計、血圧計等）、または情報を無線で受信および／もしくは送信し得る他のデバイス等、携帯式無線通信デバイスの一部であり得る。
【００４１】
いくつかのＬＴＥの実施形態において、ＵＥ４００は、閉ループの空間多重送信モードのためのチャネル適応を行うべく使用し得る、いくつかの異なるフィードバック値を算出することができる。これらのフィードバック値は、チャネル品質インジケータ（ＣＱＩ）、ランクインジケータ（ＲＩ）、および先行マトリクスインジケータ（ＰＭＩ）を含み得る。ＣＱＩにより、送信機は、いくつかの変調アルファベットおよび符号化レートの組み合わせのうち１つを選択する。ＲＩは、現在のＭＩＭＯチャネルのために有用な送信レイヤの数について送信機に通知し、ＰＭＩは、送信機で適用される先行マトリクスのコードブックインデックスを示す（送信アンテナの数に応じて）。ｅＮＢによって使用される符号化レートは、ＣＱＩに基づくことがある。ＰＭＩは、ＵＥ４００により算出され、ｅＮＢに報告されるベクトルであり得る。いくつかの実施形態において、ＵＥ４００は、ＣＱＩ／ＰＭＩまたはＲＩを含むフォーマット２、２ａ、または２ｂの物理アップリンク制御チャネル（ＰＵＣＣＨ）を送信することができる。
【００４２】
これらの実施形態において、ＣＱＩは、ＵＥ４００が得たダウンリンクモバイル無線チャネルの品質を示すことがある。ＣＱＩにより、ＵＥ４００が所与の無線リンクの品質のために使用する最適な変調スキームおよび符号化レートをｅＮＢに提案することを可能にし、その結果、もたらされるトランスポートブロックエラーレートは、１０％など、一定の値を超えなくなる。いくつかの実施形態において、ＵＥ４００は、システム帯域幅のチャネル品質を指す広帯域のＣＱＩ値を報告することができる。ＵＥ４００は、より高いレイヤにより構成され得る一定の数のリソースブロック３００の１サブバンド毎のサブバンドＣＱＩ値も報告することができる。フルセットのサブバンドは、システム帯域幅をカバーすることができる。空間多重化の場合、１符号語毎のＣＱＩを報告することができる。
【００４３】
いくつかの実施形態において、ＰＭＩは、ｅＮＢが所与の無線状況に使用する最適な先行マトリクスを示すことができる。ＰＭＩ値は、コードブックテーブルを指す。ネットワークは、ＰＭＩ報告が表すリソースブロック３００の数を構成する。いくつかの実施形態において、システム帯域幅をカバーするべく、複数のＰＭＩ報告を提供することができる。また、閉ループの空間多重化モード、マルチユーザＭＩＭＯモード、および閉ループのランク１の先行ＭＩＭＯモード用にＰＭＩ報告を提供することができる。
【００４４】
いくつかの協調マルチポイント（ＣｏＭＰ）の実施形態において、ネットワークは、遠隔無線ヘッド（ＲＲＨ）等の２つまたはそれ以上の協調／調整ポイントが共同で送信する、ＵＥ４００への共同送信をするように構成され得る。これらの実施形態において、共同送信は、ＭＩＭＯ送信であり得、協調ポイントは、共同ビーム形成を行うように構成される。
【００４５】
上述のように、いくつかの実施形態において、ハンドオーバ開始パラメータは、サービングセルのタイプおよびターゲットセルのタイプに基づいて選択することができる。サービングセルのタイプは、マクロセルまたはピコセルのいずれかを含み得、ターゲットセルのタイプは、マクロセルまたはピコセルのいずれかを含み得る。これらの実施形態において、サービングセルのタイプおよびターゲットセルのタイプを使用し、Ａ３ｏｆｆｓｅｔとＴＴＴのペアを更に選択し、ハンドオーバ開始をトリガするターゲットセルおよびサービングセルのＲＳＲＱ（ＲＳＲＰではなく）を使用することにより、ハンドオーバ失敗率を低減するのに役立ち得る。
【００４６】
これらの実施形態において、マクロからマクロへのハンドオーバは、マクロサービングセルからマクロターゲットセルへのハンドオーバを含み、ピコからマクロへのハンドオーバは、ピコサービングセルからマクロターゲットセルへのハンドオーバを含み、マクロからピコへのハンドオーバは、マクロサービングセルからピコターゲットセルへのハンドオーバを含み、ピコからピコへのハンドオーバは、ピコサービングセルからピコターゲットセルへのハンドオーバを含む。いくつかの実施形態において、ピコセルは、ミクロセル、ピコセル、またはフェムトセルとみなされることがあり、マクロセル内に存在することがある（図１に例示）。これらの実施形態において、ハンドオーバのタイプは、マクロからマクロへのハンドオーバ、ピコからマクロへのハンドオーバ、マクロからピコへのハンドオーバ、およびピコからピコへのハンドオーバのうち１つを含み得る。
【００４７】
これらの実施形態のうちいくつかにおいて、Ａ３ｏｆｆｓｅｔとＴＴＴのペアは、ＵＥ４００の速度およびハンドオーバのタイプに基づいて、図５のテーブル等のテーブルから選択することができる。テーブルは、ＵＥ４００のメモリ４０８に格納することができる。
【００４８】
これらの実施形態のうちいくつかにおいて、ＵＥ１０２は、サービングセル１０１のｅＮＢ１０４、および／またはターゲットセル（セル１０３またはセル１０５）のｅＮＢ（ｅＮＢ１０６またはｅＮＢ１０８）により送信された、セルがマクロセルであるか、またはピコセルであるかを示すセルまたはｅＮＢ識別情報に基づいて、サービングセルのタイプおよびターゲットセルのタイプのうち少なくとも１つを決定することができる。いくつかの実施形態において、セルがマクロセルであるか、またはピコセルであるかを示すセルまたはｅＮＢ識別情報は、ＬＴＥネットワークにおける物理ブロードキャストチャネル（ＰＢＣＨ）または物理ダウンリンク共有チャネル（ＰＤＳＣＨ）等、ブロードキャストチャネル上で搬送され得るが、これは要件ではない。
【００４９】
いくつかの実施形態において、ＵＥ１０２は、サービングセル１０１のｅＮＢ、および／またはターゲットセル１０３もしくは１０５のｅＮＢにより送信された基準信号３０２の測定信号強度に基づいて、サービングセルのタイプおよびターゲットセルのタイプのうち少なくとも１つを判断することができる。これらの実施形態において、マクロセル（すなわちマクロｅＮＢ）のｅＮＢにより送信された基準信号３０２の信号強度は、ピコセル（すなわちピコｅＮＢ）のｅＮＢにより送信された基準信号３０２の信号強度よりも著しく大きく、ＵＥ１０２がセルの中央に近いか、またはセルの端に近いか否かに関係なく、ＵＥ１０２がセルのタイプを判断することを可能にし得る。いくつかの実施形態において、サービングセル１０１のｅＮＢ、および／またはターゲットセル１０３もしくは１０５のｅＮＢは、セルのタイプを判断するべく使用し得る信号強度のインジケータを送信することができる。
【００５０】
いくつかの実施形態において、ピコサービングセル１からマクロターゲットセルへのハンドオーバのために、（速度のみに基づいて選択した場合よりも）小さいＡ３ｏｆｆｓｅｔ値および小さいＴＴＴを選択する。マクロサービングセルからピコターゲットセルへのハンドオーバのために、（速度のみに基づいて選択した場合よりも）大きいＡ３ｏｆｆｓｅｔ値２０５および小さいＴＴＴ２０７を選択する。これらの実施形態のいくつかにおいて、ＵＥの速度に基づくＡ３ｏｆｆｓｅｔとＴＴＴのペアの初期選択後に、より小さいＡ３ｏｆｆｓｅｔ値２０５およびより小さいＴＴＴ２０７を有するＡ３ｏｆｆｓｅｔとＴＴＴのペアを、ピコサービングセルからマクロターゲットセルへのハンドオーバのために選択し得る。ＵＥ１０２の速度に基づくＡ３ｏｆｆｓｅｔとＴＴＴとのペアの初期選択後、より大きいＡ３ｏｆｆｓｅｔ値２０５およびより小さいＴＴＴ２０７を有するＡ３ｏｆｆｓｅｔとＴＴＴのペアを、マクロサービングセルからピコターゲットセルへのハンドオーバのために選択し得る。いくつかの実施形態において、ハンドオーバのタイプに基づいて、Ａ３ｏｆｆｓｅｔ値２０５およびＴＴＴ２０７を増加または減少させることができる。
【００５１】
いくつかの実施形態において、同じタイプのセル間のハンドオーバ（すなわちマクロからマクロへのハンドオーバ、またはピコからピコへのハンドオーバ）については、速度に基づくＡ３ｏｆｆｓｅｔとＴＴＴのペアに対する初期選択値を使用することができるが、これは要件ではない。他の実施形態において、同じタイプのセル間のハンドオーバについては、図５に例示するもの等、速度に基づくＡ３ｏｆｆｓｅｔとＴＴＴのペアに対する初期選択値以外の値を使用することができる。
【００５２】
いくつかの実施形態において、Ａ３ｏｆｆｓｅｔとＴＴＴのペアは、（例えばセルのタイプではなく）サービングセルのサイズおよびターゲットセルのサイズのうち少なくとも１つに基づいて、複数のＡ３ｏｆｆｓｅｔとＴＴＴのペアから選択することができる。より小さいサービングセルからより大きいターゲットセルへのハンドオーバのために、より小さいＡ３ｏｆｆｓｅｔ値２０５およびより小さいＴＴＴ２０７を選択することができる。より大きいサービングセルからより小さいターゲットセルへのハンドオーバのために、より大きいＡ３ｏｆｆｓｅｔ値２０５およびより小さいＴＴＴ２０７を選択する。
【００５３】
図６は、いくつかの実施形態によるＵＥハンドオーバのための手順のフローチャートである。手順６００は、ＵＥ１０２等のＵＥにより実行することができる（図１）。
【００５４】
オペレーション６０２において、ＵＥ１０２は、ＵＥ１０２の速度またはモビリティ状態に基づいて、複数のＡ３ｏｆｆｓｅｔとＴＴＴのペアから１つのＡ３ｏｆｆｓｅｔとＴＴＴのペアを選択することができる。オペレーション６０２に先立って、ＵＥ１０２は、上述の速度またはモビリティ状態を判断することができる。
【００５５】
オペレーション６０４において、ＵＥ１０２は、サービングセル１０１のＲＳＲＱ、およびターゲットセル１０３もしくは１０５のＲＳＲＱを判断することができる。
【００５６】
オペレーション６０６において、ＵＥ１０２は、ターゲットセルＲＳＲＱ２０３がＴＴＴ２０７に対する少なくともＡ３ｏｆｆｓｅｔ値２０５だけサービングセルＲＳＲＱ２０１を超える場合、サービングセル１０１からターゲットセル１０３もしくは１０５へのハンドオーバのために、サービングｅＮＢ（例えばｅＮＢ１０４）に測定レポート２０９を生成し、送信することができる。
【００５７】
上述のように、いくつかの代替的な実施形態において、（ＵＥの速度および／またはハンドオーバのタイプではなく）ターゲットセル２０３およびサービングセルのＲＳＲＱに基づいて、ハンドオーバ開始パラメータを選択することができる。これらの代替的な実施形態において、ＵＥ１０２は、ターゲットセルＲＳＲＱ２０３に基づいて、Ａ３ｏｆｆｓｅｔ値２０５を選択し、サービングセルＲＳＲＱ２０１に基づいてＴＴＴ２０７を選択することができる。これらの代替的な実施形態において、Ａ３ｏｆｆｓｅｔ値２０５を選択する段階は、ターゲットセルＲＳＲＱ２０３および１もしくは複数のＲＳＲＱ閾値に基づいて、複数のＡ３ｏｆｆｓｅｔ値２０５のうち１つを選択する段階を備え得る。ＴＴＴ２０７を選択する段階は、サービングセルＲＳＲＱ２０１および１または複数のＲＳＲＱ閾値に基づいて、複数のＴＴＴのうち１つを選択する段階を備え得る。
【００５８】
これらの実施形態において、サービングセル１０１（図１）からターゲットセル１０３（図１）へのハンドオーバは、ターゲットセルＲＳＲＱ２０３が、選択されたＴＴＴ２０７に対する少なくとも選択されたＡ３ｏｆｆｓｅｔ値２０５だけサービングセルＲＳＲＱ２０１を持続的に超える場合に、開始することができる。いくつかの実施形態において、Ａ３ｏｆｆｓｅｔ値２０５は、ターゲットセルＲＳＲＱ２０３に反比例するように選択することができ、ＴＴＴ２０７は、サービングセルＲＳＲＱ２０１に正比例するように選択することができる。
【００５９】
いくつかの実施形態において、Ａ３ｏｆｆｓｅｔ値２０５を選択する段階は、ターゲットセルＲＳＲＱ２０３に基づいて、複数のＡ３ｏｆｆｓｅｔ値（すなわちｖ１、ｖ２、またはｖ３）のうち１つを選択する段階を備え得る。ＴＴＴ２０７を選択する段階は、サービングセルＲＳＲＱ２０１に基づいて、複数のＴＴＴ（ｔ１、ｔ２、またはｔ３）のうち１つを選択する段階を備え得る。これらの実施形態において、より大きいＡ３ｏｆｆｓｅｔ値２０５をより小さいターゲットセルＲＳＲＱ２０３のために選択し、より小さいＡ３ｏｆｆｓｅｔ値２０５をより高いターゲットセルＲＳＲＱ２０３のために選択することができる。これらの実施形態において、選択されたＡ３ｏｆｆｓｅｔ値２０５は、ターゲットセルＲＳＲＱ２０３に反比例または正比例する。Ａ３オフセット値２０５は、ｄＢであってもよいが、実施形態の範囲は、この点において限定されない。
【００６０】
いくつかの実施形態において、ターゲットセルＲＳＲＱ２０３とサービングセルＲＳＲＱ２０１の差異（例えば、測定したサービングセルＲＳＲＱ２０１を測定したターゲットセルＲＳＲＱ２０３から減じた）は、測定Ａ３ｏｆｆｓｅｔと称し得る。Ａ３ｅｖｅｎｔは、測定Ａ３ｏｆｆｓｅｔが選択されたＡ３ｏｆｆｓｅｔ値２０５を超える場合に行われ得る。
【００６１】
いくつかの実施形態において、より大きいＴＴＴ２０７をより高いサービングセルＲＳＲＱ２０１のために選択し、より小さいＴＴＴ２０７を、より低いサービングセルＲＳＲＱ２０１のために選択することができる。これらの実施形態において、選択されたＴＴＴ２０７は、サービングセルＲＳＲＱ２０１に正比例し、または線形的に比例し得る。ＴＴＴ２０７は、ミリ秒であり得るが、実施形態の範囲は、この点において限定されない。
【００６２】
いくつかの実施形態において、複数のＡ３ｏｆｆｓｅｔ値および複数のＴＴＴは、ＲＲＣ接続確立時にｅＮＢ１０４から受信され得る。いくつかの実施形態において、複数のＡ３ｏｆｆｓｅｔ値および複数のＴＴＴは、デフォルトまたは初期のＡ３ｏｆｆｓｅｔ値２０５およびＴＴＴ２０７に基づいていてもよい。いくつかの実施形態において、Ａ３ｏｆｆｓｅｔ値２０５およびＴＴＴは、ｅＮＢ１０４とＵＥ１０２との間のＲＲＣ接続確立時にｅＮＢ１０４により構成または決定され得るが、これは要件ではない。いくつかの実施形態において、ＡＳｏｆｆｓｅｔ値およびＴＴＴは、予め定めることができる。ＡＳｏｆｆｓｅｔ値およびＴＴＴは、上記のように、後の選択のためにＵＥ１０２内に格納してもよい。
【００６３】
いくつかの代替的な実施形態において、複数のＡ３ｏｆｆｓｅｔ値および複数のＴＴＴは、デフォルトもしくは初期のＡ３ｏｆｆｓｅｔ値２０５およびＴＴＴ２０７に基づいて、ＵＥ１０２により生成し得る。これらの代替的な実施形態において、デフォルトまたは初期のＡ３ｏｆｆｓｅｔ値２０５およびＴＴＴ２０７は、ｅＮＢ１０４により提供することができるが、これは要件ではない。
【００６４】
いくつかの実施形態において、ターゲットセルＲＳＲＱ２０３がＲＳＲＱ閾値（α）より大きい場合に、第１のＡ３ｏｆｆｓｅｔ値（ｖ１）をＡ３ｏｆｆｓｅｔ値２０５のために選択し、ターゲットセルＲＳＲＱ２０３がＲＳＲＱ閾値（α）より大きくない場合には、第２のＡ３ｏｆｆｓｅｔ値（ｖ２）をＡ３ｏｆｆｓｅｔ値２０５のために選択することができる。これらの実施形態において、サービングセルＲＳＲＱ２０１がＲＳＲＱ閾値（α）よりも大きい場合に、第１のＴＴＴ（ｔ１）をＴＴＴ２０７のために選択し、サービングセルＲＳＲＱ２０１がＲＳＲＱ閾値（α）よりも大きくない場合は、第２のＴＴＴ（ｔ２）をＴＴＴ２０７のために選択することができる。第１のＡ３ｏｆｆｓｅｔ値（ｖ１）は、第２のＡ３ｏｆｆｓｅｔ値（ｖ２）よりも小さいことがあり、第１のＴＴＴ（ｔ１）は、第２のＴＴＴ（ｔ２）よりも大きいことがある。これらの実施形態のいくつかにおいて、第１のＡ３ｏｆｆｓｅｔ値（ｖ１）、第２のＡ３ｏｆｆｓｅｔ値（ｖ２）、第１のＴＴＴ（ｔ１）、第２のＴＴＴ（ｔ２）、およびＲＳＲＱ閾値（α）は、接続確立時にｅＮＢ１０４により提供することができる。
【００６５】
いくつかの実施形態において、ターゲットセルＲＳＲＱ２０３およびサービングセルＲＳＲＱ２０１は、ＮのＡ３ｏｆｆｓｅｔ値およびＮのＴＴＴから選択するべくＮ−１ＲＳＲＱ閾値を使用する、複数のレベル（Ｎ）に分割され得る。３つのレベル（Ｎ＝３）を使用する例示的な実施形態において、ターゲットセルＲＳＲＱ２０３が第１のＲＳＲＱ閾値（α）よりも大きい場合、第１のＡ３ｏｆｆｓｅｔ値（ｖ１）をＡ３ｏｆｆｓｅｔ値２０５のために選択することができ、ターゲットセルＲＳＲＱ２０３が第２のＲＳＲＱ閾値（β）よりも大きいが、第１のＲＳＲＱ閾値（α）よりも大きくない場合、第２のＡ３ｏｆｆｓｅｔ値（ｖ２）をＡ３ｏｆｆｓｅｔ値２０５のために選択することができ、ターゲットセルＲＳＲＱ２０３が第２のＲＳＲＱ閾値（β）よりも大きくない場合、第３のＡ３ｏｆｆｓｅｔ値（ｖ３）をＡ３ｏｆｆｓｅｔ値２０５のために選択することができる。サービングセルＲＳＲＱ２０１がＲＳＲＱ閾値（α）よりも大きい場合、第１のＴＴＴ（ｔ１）をＴＴＴ２０７のために選択することができ、サービングセルＲＳＲＱ２０１が第２のＲＳＲＱ閾値（β）よりも大きいが、第１のＲＳＲＱ閾値（α）よりも大きくない場合、第２のＴＴＴ（ｔ２）をＴＴＴ２０７のために選択することができ、サービングセルＲＳＲＱ２０１が第２のＲＳＲＱ閾値（β）よりも大きくない場合、第３のＴＴＴ（ｔ３）をＴＴＴ２０７のために選択することができる。第１のＡ３ｏｆｆｓｅｔ値（ｖ１）は、第２のＡ３ｏｆｆｓｅｔ値（ｖ２）よりも小さく、第２のＡ３ｏｆｆｓｅｔ値（ｖ２）は、第３のＡ３ｏｆｆｓｅｔ値（ｖ３）よりも小さくなり得る（すなわちｖ１＜ｖ２＜ｖ３）。第１のＴＴＴ（ｔ１）は、第２のＴＴＴ（ｔ２）よりも大きく、第２のＴＴＴ（ｔ２）は、第３のＴＴＴ（ｔ３）よりも大きくなり得る（すなわちｔ１＞２＞３）。これらの実施形態において、第１、第２、および第３のＡ３ｏｆｆｓｅｔ値、第１、第２、および第３のＴＴＴ、ならびに第１および第２のＲＳＲＱ閾値は、接続確立時にｅＮＢ１０４により提供することができる。
【００６６】
これらの実施形態において、第１のＲＳＲＱ閾値（α）は、最大３ｄＢまたはそれ以上だけＲＳＲＱ閾値（β）よりも大きくなり得るが、実施形態の範囲は、この点において限定されない。いくつかの実施形態において、Ｎは、２より大きいか等しく、かつ５より小さくなり得るが、Ｎは５よりも大きいこともあるので、実施形態の範囲は、この点において限定されない。いくつかの実施形態において、ＲＳＲＱ閾値（α，β）は、無線リンク故障を最小化または低減し、ハンドオーバのオーバーヘッドを低減するべく異なるスピードで動くＵＥ１０２に対して行うシミュレーションに基づき、システムにより決定することができる。
【００６７】
Ｎ＝２の例示的な実施形態において、１つのＲＳＲＱ閾値および２つの異なるＡ３ｏｆｆｓｅｔ値、ならびに２つの異なるＴＴＴは、ｅＮＢ１０４により提供することができる。Ｎ＝３に対しては、２つのＲＳＲＱ閾値、３つの異なるＡ３ｏｆｆｓｅｔ値、および３つの異なるＴＴＴを提供することができる。Ｎ＝４に対しては、３つのＲＳＲＱ閾値、４つの異なるＡ３ｏｆｆｓｅｔ値、および４つの異なるＴＴＴを提供することができる。これらの実施形態において、ＵＥ１０２は、ハンドオーバ開始のための測定したターゲットセルおよびサービスセルのＲＳＲＱ、ならびにＲＳＲＱ閾値に基づいて、Ａ３ｏｆｆｓｅｔとＴＴＴのペアを選択することができる。
【００６８】
いくつかの実施形態において、ターゲットセルＲＳＲＱ２０３が、潜在的なハンドオーバ決定のためにサービングセル１０１のｅＮＢ１０４が使用する選択されたＴＴＴ２０７に対する少なくとも選択されたＡ３ｏｆｆｓｅｔ値２０５だけ、サービングセルＲＳＲＱ２０１を持続的に超えた場合、ＵＥ１０２は、サービングｅＮＢ１０４に測定レポート２０９（図２）を送信または伝送することができる。測定レポート２０９は、少なくともターゲットセル１０３のセル識別子を含み得る。ハンドオーバは、測定レポート２０９に応答して行うことができる。
【００６９】
いくつかの実施形態において、測定レポート２０９は、サービングセルＲＳＲＱ２０１、およびＴＴＴタイマの終了時に測定されたターゲットセルＲＳＲＱ２０３を含み得る。測定レポート２０９は、他の隣接セルのＲＳＲＱも含み得る。いくつかの実施形態において、測定レポート２０９は、トリガ測定レポートと呼ばれ得る。これらの実施形態のいくつかにおいて、最も大きい／最も強いＲＳＲＱを有する隣接セルは、ターゲットセル１０３として識別することができる。測定レポート２０９は、物理セル識別子（ｐｈｙｓｃｅｌｌｉｄ）によりセルを識別することができ、いくつかの実施形態において、セルのクローズドサブスクライバグループ（ＣＳＧ）の識別が含まれ得る。いくつかの代替的な実施形態において、測定レポート２０９は、ターゲットセル１０３にハンドオーバをトリガするように使用することができ、必ずしもＲＳＲＱ値を含まないことがある。
【００７０】
いくつかの代替的な実施形態において、サービングセルおよびターゲットセルの双方のＲＳＲＱではなく、サービングセル２０１のＲＳＲＱおよびターゲットセルのＲＳＲＰに基づいて、Ａ３ｏｆｆｓｅｔとＴＴＴのペアを選択する。ターゲットセルＲＳＲＱ２０３がＴＴＴ２０７に対する少なくともＡ３ｏｆｆｓｅｔ値２０５だけサービングセルＲＳＲＱ２０１を超える場合、サービングセルからターゲットセルへのハンドオーバのために、測定レポート２０９をｅＮＢに送信することができる。ＲＳＲＱは、基準信号３０２を含むリソースブロック３００のＲＳＳＩに対するＲＳＲＰの比率から判断することができる。これらの実施形態において、Ａ３ｏｆｆｓｅｔ値２０５は、ターゲットセルＲＳＲＰおよび１もしくは複数のＲＳＲＰ閾値（例えば（α１，β１））に基づいて、複数のＡ３ｏｆｆｓｅｔ値から選択することができる。ＴＴＴ２０７は、サービングセルＲＳＲＱ２０１および１もしくは複数のＲＳＲＱ閾値（例えば（α２，β２））に基づいて、複数のＴＴＴのうち１つから選択することができる。
【００７１】
要約書は、読者が技術的開示の性質および要旨を確認することを可能にする要約書を要求する、米国連邦特許規則３７巻１条７２（ｂ）に準拠して提供される。要約書は、特許請求の範囲および意味を限定または解釈するべく使用されないとの理解と共に提出される。以下の特許請求の範囲は、別個の実施形態としてそれ自体が存在する状態で、詳細な説明に組み込まれる。
【図１】
0006005849.tif 000007
【図２】
0006005849.tif 000008
【図３】
0006005849.tif 000009
【図４】
0006005849.tif 000010
【図５】
0006005849.tif 000011
【図６】
0006005849.tif 000012